(57)【特許請求の範囲】
【請求項１】
底面と前面とが開放されたキャビネット枠と、このキャビネット枠に対して昇降自在に支持される昇降ラックと、前記キャビネット枠の前面側に開閉自在に配置された扉とを備えた吊戸棚であって、
前記扉の下端には、該扉を閉じるとともに前記昇降ラックが前記キャビネット枠内に収められた状態で前記昇降ラックの底板の一部を覆う形で配置されて下方を照らす照明装置が設けられていることを特徴とする吊戸棚。
【請求項２】
請求項１において、
前記扉は、前記キャビネット枠の前記前面側を塞ぐ位置から略水平方向に移動させ、上方に引き上げて開ける構造としていることを特徴とする吊戸棚。
【請求項３】
請求項２において、
前記扉には、ブラケットを介してローラが設けられており、
前記キャビネット枠の側板には、該ローラがスライドするガイド溝が形成され、該ガイド溝は、前記扉を上下にスライドさせるための縦溝と、前記扉を略水平方向に移動させるための横溝と、前記扉を閉じた際に前記ローラを固定し保持する保持溝とを備えていることを特徴とする吊戸棚。
【請求項４】
請求項１〜請求項３のいずれか１項において、
前記昇降ラックを前記キャビネット枠外から出て下降させた状態において、前記照明装置の下端と前記昇降ラックの上端とは略同一の高さ位置となるよう構成されていることを特徴とする吊戸棚。
【請求項５】
請求項１〜請求項４のいずれか１項において、
前記キャビネット枠と前記昇降ラックとは、上下に昇降自在となるよう昇降ガイド部材によってスライド自在に連結されるとともに、
前記昇降ラックと前記扉とは、プーリーを介して設けられた索条体によって連結されていることを特徴とする吊戸棚。
【発明の詳細な説明】
【技術分野】
【０００１】
本発明は、キャビネット枠と、昇降ラックと、扉とを備えた吊戸棚に関する。
【背景技術】
【０００２】
従来より、フロアキャビネット等の上方の壁面に吊戸棚を設け、その吊戸棚に収納した物の出し入れをし易くするため、底面が開放されたキャビネット枠内に昇降自在とした昇降ラックを設けたものが知られている。
例えば下記特許文献１には、上述のような吊戸棚が開示されており、ここには上端がヒンジ結合された扉の下端側に照明装置を配置したものが記載されている。
【先行技術文献】
【特許文献】
【０００３】
【特許文献１】特開２００１−１７８５５０号公報
【発明の概要】
【発明が解決しようとする課題】
【０００４】
しかしながら、上記特許文献１の照明装置は薄板状の扉の下端部に設けられ（上記特許文献１・図１参照）、ここから照らし出される光は前方向には照射されても、例えば下降状態にある昇降ラック内を十分に照らすことが難しい。
また扉ではなく、キャビネット枠の下端部に照明装置を取り付けた場合は、照明装置が取り付けられた箇所の収納スペースが減ってしまう。
さらに、昇降ラックの底面に照明装置が取り付けた場合は、昇降ラックを下降させると照明装置もこれに伴い下降するので、昇降ラック内等を照らすことができない。
【０００５】
本発明は、上記実情に鑑みてなされたものであり、収納スペースを減らすことなく、吊戸棚の下方や下降した状態の昇降ラック内も十分に照らすことができる照明装置を備えた吊戸棚を提供することを目的としている。
【課題を解決するための手段】
【０００６】
上記目的を達成するために、本発明に係る吊戸棚は、底面と前面とが開放されたキャビネット枠と、このキャビネット枠に対して昇降自在に支持される昇降ラックと、前記キャビネット枠の前面側に開閉自在に配置された扉とを備えた吊戸棚であって、前記扉の下端には、該扉を閉じるとともに前記昇降ラックが前記キャビネット枠内に収められた状態で前記昇降ラックの底板の一部を覆う形で配置されて下方を照らす照明装置が設けられていることを特徴とする。
【０００７】
また本発明において、前記扉は、前記キャビネット枠の前記前面側を塞ぐ位置から略水平方向に移動させ、上方に引き上げて開ける構造としているものとしてもよい。
さらに本発明において、前記扉には、ブラケットを介してローラが設けられており、
前記キャビネット枠の側板には、該ローラがスライドするガイド溝が形成され、該ガイド溝は、前記扉を上下にスライドさせるための縦溝と、前記扉を略水平方向に移動させるための横溝と、前記扉を閉じた際に前記ローラを固定し保持する保持溝とを備えているものとしてもよい。
【０００８】
そして本発明において、前記昇降ラックを前記キャビネット枠外から出て下降させた状態において、前記照明装置の下端と前記昇降ラックの上端とは略同一の高さ位置となるよう構成されたものとしてもよい。
また本発明において、前記キャビネット枠と前記昇降ラックとは、上下に昇降自在となるよう昇降ガイド部材によってスライド自在に連結されるとともに、前記昇降ラックと前記扉とは、プーリーを介して設けられた索条体によって連結されているものとしてもよい。
【発明の効果】
【０００９】
本発明に係る吊戸棚によれば、収納スペースを減らすことなく、吊戸棚の下方や下降した状態の昇降ラック内も十分に照らすことができる照明装置を備えたものとすることができる。
【図面の簡単な説明】
【００１０】
【図１】本発明の一実施形態に係る吊戸棚の一例を説明するための概略的分解斜視図である。
【図２】同吊戸棚の側面図であり、扉が閉じられ、且つ昇降ラックがキャビネット枠内に収められた状態を示した図である。
【図３】同吊戸棚の側面図であり、扉が手前に引き出され、且つ昇降ラックがキャビネット枠内に収められた状態を示した図である。
【図４】同吊戸棚の側面図であり、扉が開かれ、且つ昇降ラックがキャビネット枠外に出て下降した状態を示した図である。
【発明を実施するための形態】
【００１１】
以下に本発明の実施の形態について、図面に基づいて説明する。
本実施形態に係る吊戸棚１は、底面と前面とが開放されたキャビネット枠２と、このキャビネット枠２に対して昇降自在に支持される昇降ラック３と、キャビネット枠２の前面側に開閉自在に配置された扉４とを備えた吊戸棚１であって、扉４の下端には、該扉を閉じるとともに昇降ラック３がキャビネット枠２内に収められた状態で昇降ラック３の底板３３の一部を覆う形で配置されて下方を照らす照明装置６が設けられている。
なお、図１では、昇降ラック３の昇降動作と扉４の開閉を連動させたプーリー９や索条体９１等の機構、バラスト４６の図示は、説明のため省略している。また図２〜図４に示す図面では、説明のため、キャビネット枠２に設けられた一方（図１では紙面右側に配置されている）の側板２１、ブラケット４１、プーリー９、索条体９１の図示は省略する。さらに以下の説明において指す前後及び上下方向の位置関係は、吊戸棚１に対面した使用者を基準として説明する。
【００１２】
以下、吊戸棚１の構造を詳しく説明する。
キャビネット枠２は、天板２０と、天板２０の下方左右に向かい合うように配された一対の側板２１，２１と、背板２２（図２参照）とを備えた直方体形状の箱体からなり、底面と前面とは開放され、底面と前面とには開口部２３，２４（図１参照）が形成されている。
キャビネット枠２の側板２１には、昇降ラック３を上下に昇降自在とするため昇降ラック３に設けられた昇降ガイド部材８と嵌合する昇降溝７が形成されている。
昇降溝７は、側板２１の略中央部に縦長に掘削されており、溝の長さは昇降ラック３と扉４の連動機構に合わせて形成され昇降溝７の他端部７０の位置は、昇降ラック３が最も下降した状態に応じて設定される（図４参照）。また昇降溝７の溝幅は昇降ガイド部材８が嵌合して昇降溝７の一端部７１から他端部７０に向けて上下にスライドするように形成されている。
【００１３】
キャビネット枠２の前面２４に開閉自在に設けられる扉４の下端には、該扉を閉じるとともに昇降ラック３がキャビネット枠２内に収められた状態で昇降ラック３の底板３３の一部を覆う形で配置されて下方を照らす照明装置６が設けられている。従って、扉４はキャビネット枠２の前面側を塞ぐ位置から略水平方向に移動させ、上方に引き上げて開ける構造とすることが好ましい。
そこでキャビネット枠２の側板２１，２１の内面の扉４側には、ガイド溝２５が扉４側に設けられたローラ４３，４４の形状、構成に応じて形成されている。
キャビネット枠２に形成されたガイド溝２５は、一対の側板２１，２１のそれぞれに略Ｌ字形状に形成された２本の溝が上下に間隔を空けて且つその一部が重なるように形成されている。
【００１４】
ガイド溝２５は、扉４を上下にスライド移動させるための縦溝２５ａと、扉４を略水平方向に移動させるための横溝２５ｂと、扉４を閉じた際にローラ４３，４４を固定し保持する保持溝２５ｃとを備えている。
ガイド溝２５の溝幅は、ガイド溝２５内をローラ４３，４４が回転しながら移動するように形成され、その深さは、ローラ４３，４４の突出幅に合わせて深さを異ならせて掘削して形成されている。
図例のガイド溝２５は、上方にもうけられたローラ４４が下方に設けられたローラ４３より径が小さく且つ突出幅が大きく設けられているので、これに合わせて２本のうち上方に形成された略Ｌ字状のガイド溝２５の溝幅を細く且つ深さを深くして堀削されている。一方、２本のうち下方に形成された略Ｌ字状のガイド溝２５の溝幅は、ローラ４４に合わせて溝幅を大きく且つ深さを浅くして掘削されている。
【００１５】
扉４は、キャビネット枠２の前面の開口部２４を塞ぐように方形状の薄板体４０からなり、扉４の前面には扉４を開閉する際の扉取っ手４２が設けられている。
扉取っ手４２は、扉４の前面から前方向に突出するように略水平方向に設けられた棒状体で構成されている。
ここでは扉取っ手４２が断面視して方形状の例を示しているが、これに限定されず円形状、楕円形状、或いは多角形状などとしてもよい。また扉取っ手４２の長手方向の長さも図例に限定されるものでない。
【００１６】
上述したように扉４の下端には、該扉を閉じるとともに昇降ラック３がキャビネット枠２内に収められた状態で昇降ラック３の底板３３の一部を覆う形で配置されて下方を照らす照明装置６が設けられている。
照明装置６の構成は特に限定されるものではないが、図１にはその一例としてＬＥＤ照明６０が複数組み込まれた照明装置６を示している。
図２に示すように、略方形のブロック体で構成された照明装置６は、昇降ラック３がキャビネット枠２内に収められた状態で、キャビネット枠２から外方に突出するように且つ底板３３の外面側の扉４側一部を覆うように配置されている。
従って、昇降ラック３の収納スペースを減少させることなく、照明装置６を配置させることができる。
ここで照明装置６は略方形のブロック体で形成された例を示しているが、扉の下端を折り曲げてＬＥＤ照明６０を組み込んだものでもよい。
【００１７】
扉４の裏面の両端部下方側には、昇降ラック３側に突出するように板状体からなる一対のブラケット４１，４１が設けられている。
このブラケット４１，４１のそれぞれには上下に２個並んでローラ４３，４４が設けられた軸部４３ａ，４４ａが固着されている。ローラ４３，４４が設けられた軸部４３ａ，４４ａは、ローラ４３，４４がキャビネット枠２の側面２１に形成されたガイド溝２５内を回転しながら移動するようにブラケット４１，４１から外方向に向かって突出するように設けられている。
ローラ４３，４４の構成、サイズ等は図例に限定されるものではないが、図例のローラ４３，４４の径の大きさは、ガイド溝２５の幅に応じて下方に設けられたローラ４３より、上方に設けられたローラ４４の方が、径が小さいものが設けられている。
このようにローラ４３，４４を設けた構成とすれば、扉４の開閉をスムーズに行うことができ、扉４を略水平方向に手前側に移動させてから上方に引き上げて開けることができる。
【００１８】
ブラケット４１の上方角部でローラ４４の近傍には、昇降ラック３に固着され、プーリー９を介して掛け渡された索条体９１の一端部が固着される連結部４５を備えている。
扉４の裏面には、昇降ラック３とのバランスをとるための板状のバラスト４６（図２〜図４参照）が設けられている。
従って、昇降ラック３の重量負荷が軽減され、操作が軽くなり、昇降ラック３の昇降操作性が向上する。またバラスト４６が扉４に固着されているものとすれば、バラスト４６を設置するためのスペースが不要となり、昇降ラック３の収納スペースが減ってしまうことがない。
なお、ここでは扉４の裏面に露出した状態でバラスト４６を設けた例を示しているが、バラスト４６の形状、構成等はこれに限定されず、バラスト４６を扉４内に内蔵する構成としてもよい。また扉４自体の重さを昇降ラック３とバランスが取られるように設定してもよい。
【００１９】
昇降ラック３は、キャビネット枠２の底面に形成された開口部２３からキャビネット枠２の内外を昇降自在に構成されている。昇降ラック３は、天板３０と、左右に配された一対の側板３１，３１と、背板３２（図２参照）と、底板３３とを備えた直方体形状の箱体からなり、前面が開放され開口部３４（図１参照）が形成されている。昇降ラック３の下方部位、すなわち底板３３の外面側には、昇降ラック３を上下に上げ下げする際の持ち手となるラック取っ手３５が略水平に設けられている。ここではラック取っ手３５の持ち手が断面視して円形状の例を示しているが、これに限定されず楕円形状、或いは多角形状などとしてもよい。
昇降ラック３の側板３１，３１の外面側における中央上端部には、そこから外方に突出するように昇降ガイド部材８が固着されている。
昇降ガイド部材８は、キャビネット枠２に形成された昇降溝７との嵌合により、昇降ラック３が上下に昇降自在となるよう構成されている。
【００２０】
昇降ラック３と扉４とは、プーリー９を介して設けられた索条体９１によって連結されているおり、昇降ラック３の昇降動作と扉４の開閉動作とが連動するように構成されている。
プーリー９はキャビネット枠２の内面側における扉４側前端部と略中央に設けられている。
図２〜図４において９０はプーリー９の滑車を支持する支持部材である。
索条体９１は、その一端部が昇降ラック３の天板３０の外面と、他端部が扉４のブラケット４１の連結部４５に固着され、プーリー９，９を介して一端部から他端部に掛け渡されている。
索条体９１は、ベルト、ワイヤー、チェーン等の可撓性のある線状部材からなり、昇降ラック３は昇降ガイド部材８と昇降溝７との嵌合によって連結されるとともに、この索条体９１によって吊り下げられている。
なお、昇降ラック３の昇降機構は上述の例に限定されず、扉４の開閉と連動された機構であれば、巻き取りドラムなどを利用したものとしてもよい。また手動式に限らず、電動により垂直方向に昇降させるモータ等からなる駆動ユニットを備えたものとしてもよい。
【００２１】
次に図２〜図４を参照しながら、扉４の開閉と昇降ラック３の昇降の連動動作について説明する。ここでは照明装置６が点灯状態にある場合について説明するが、もちろん点灯していない状態でも扉４の開閉と昇降ラック３の昇降の連動動作は同じである。
まず扉４は、閉じられた状態ではキャビネット枠２の前面に当接してキャビネット枠２の前面側を塞ぐ第１の位置（図２参照）にあり、昇降ラック３はキャビネット枠２内に収められている。
このとき、ローラ４３，４４は保持溝２５ｃに係止され、この保持溝２５ｃへのローラ４３，４４の係止作用と、扉４の裏面に固着されているバラスト４６によって、昇降ラック３に物が収納された状態でも昇降ラック３が下降してしまわないよう設定されている。
さらにこのとき、照明装置６は底板３３の外面側の扉４側一部を覆う位置に配置されている。
従って、照明装置６を点灯させれば、吊戸棚１の下方周辺を明るく照らすことができる。
【００２２】
扉取っ手４２を持って略水平方向に扉４を移動させると扉４は、第１の位置からキャビネット枠２の前面に対して非当接状態に突出した第２の位置（図３参照）へ移動する。
このとき、ローラ４３，４４は保持溝２５ｃから横溝２５ｂへと移動し、昇降ラック３はブラケット４１が、扉４とともに手前に引き出されるのに伴って手前に移動するので、連結部４５も手前に移動し、昇降ラック３が若干上方へ浮き上がった状態となる。
この扉４の移動に伴って照明装置６も手前側に移動するが、問題なく吊戸棚１の下方周辺を明るく照らすことができる。
【００２３】
そして扉取っ手４２を持って上方向に扉４をスライドさせると、第２の位置から上方にスライドしてキャビネット枠２の前面側を塞がない第３の位置（図４参照）へと移動する。
このときローラ４３，４４は横溝２５ｂから縦溝２５ａへと移動し、昇降ラック３は扉４が開く動作に連動して下降する。
図４に示すように扉４を全開とし、昇降ラック３がキャビネット枠２外から出て下降させた状態において、照明装置６の下端と昇降ラック３の上端とが略同一の高さ位置となるよう構成してもよい。
これによれば、昇降ラック３内にまで照明装置６から発する光が行き渡り易く昇降ラック３内を明るく照らすことができる。
ここで、縦溝２５ａの上端部付近には、上方に移動してきたローラ４３，４４を係止して第３の位置で扉４を保持するためのバネ部材（不図示）が設けられている。バネ部材は平板状で弾性を備えた金属材などからなり、屈曲形成された中央部を備えている。
扉４を上方に押し上げてバネ部材の中央部をローラ４３，４４が乗り越える位置まで移動させれば、ローラ４３，４４の下端部がバネ部材の中央部で係止され、扉４が下方に移動しないよう扉４を全開した第３の位置に保持することができる。
従って、全開にした扉４を開けたまま手を離しても扉４が閉まることがなく、物の出し入れを行うことができる。
【００２４】
扉４を開けた状態（第３の位置）から扉４を閉じるときには、逆の動作となる。
まず全開にしている扉４の扉取っ手４２を掴んで下方へスライドさせる。このときローラ４３，４４は、バネ部材の中央部を乗り越え縦溝２５ａから横溝２５ｂへと移動する。
そして扉４が第２の位置まで下方へ移動したら、扉取っ手４２を持って、扉４を後ろ方向へスライドさせ保持溝２５ｃによって係止される位置まで扉４を押し込めば、扉４を閉じることができる（第１の位置）。このときローラ４３，４４は、横溝２５ｂから保持溝２５ｃへと移動し、保持溝２５ｃに係止される。
この扉４の動作に伴って下降していた昇降ラック３が上昇しキャビネット枠２内に収められた状態となる（図２参照）。
なお、ここでは扉取っ手４２を持って扉４を開閉させることを基準に連動して昇降する昇降ラック３について説明したが、昇降ラック３のラック取っ手３５を持って昇降ラック３を昇降させた場合も同じように扉４がそれに連動して開閉することとなる。
また扉４の開閉構造は、図例に限定されるものではなく、昇降ラック３と同じように駆動モータで駆動する電動式のものとしてもよい。
【００２５】
以上によれば、扉４の下端に昇降ラック３の底板３３の一部を覆うように配置された照明装置６が設けられているので、昇降ラック３の収納スペースを減少させることなく、扉４の下方を明るく照らすことができる。
また例えば昇降する昇降ラック３の底板３３に照明装置を設けた場合のように、昇降ラック３と一緒に照明装置が下降してしまうこともない。
さらに、上述のように扉４の開閉動作と昇降ラック３の昇降動作を連動させたものとすれば、少ない操作距離で扉４を全開状態にでき、使用性が向上する。また昇降ラック３が下降した状態で扉４が開くことないので、キャビネット枠２内が見えてしまうことがない。
従って、例えばキャビネット枠２内に設けられたプーリー９などの機構部やガイド溝２５が吊戸棚１の前面側からみえてしまうことがなく、使用時の美観がよい。
また扉４が開かれた状態で下降した昇降ラック３の上にものを置くことができなくなり、昇降ラック３の天板３０上にものを置いたまま昇降ラック３を上昇させてものを壊してしまうことなどを防ぐことができ、使用時の安全性を従来のものよりも高めることができる。
【００２６】
以上、本実施形態に係る吊戸棚１の形状、構成は図例に限定されるものではない。また吊戸棚１は、キッチンのフロアキャビネット等の上方の壁面に設けられ、収納庫として使用されるものとしてもよいし、食器乾燥器に適用されたものとしてもよい。またキッチンに設置される吊戸棚１に限定されずリビングなどに設置されるものであってもよいことは言うまでもない。
【符号の説明】
【００２７】
１      吊戸棚
２      キャビネット枠
２１      側板
２５      ガイド溝
２５ａ      縦溝
２５ｂ      横溝
２５ｃ      保持溝
３      昇降ラック
３３      底板
４      扉
４１      ブラケット
４３，４４      ローラ
６      照明装置
８      昇降ガイド部材
９      プーリー
９１      索条体
【図１】
0005452363.tif 000002
【図２】
0005452363.tif 000003
【図３】
0005452363.tif 000004
【図４】
0005452363.tif 000005